(57)【要約】【課題】先行技術のチャネル推定方法における欠点を克服、または少なくとも緩和することである。【解決手段】無線通信システムにおいて使用するチャネル推定方法である。前記システムは送信元装置と送信先装置とを含み、前記送信元装置は情報を前記送信先装置に送信するよう動作可能である。前記方法は、一期間にわたる送信周波数帯域幅を、各々が周波数帯域幅プロファイルを有する複数の同時期のパイロット送信ブロックに割り当てる段階と、送信用パイロット信号を前記パイロット送信ブロックの各々の中の選択された時間・周波数位置に割り振る段階と、前記一期間において、前記送信元装置から前記送信先装置に、情報と、前記パイロット送信ブロックの少なくとも１つのパイロット信号とを送信する段階とを有する。【選択図】図７
2008160842.tif 000002
【特許請求の範囲】
【請求項１】
無線通信システムにおいて使用するチャネル推定方法であって、
前記システムは送信元装置と送信先装置とを含み、
前記送信元装置は情報を前記送信先装置に送信するよう動作可能であり、
前記方法は、
一期間にわたる送信周波数帯域幅を、各々が周波数帯域幅プロファイルを有する複数の同時期のパイロット送信ブロックに割り当てる段階と、
送信用パイロット信号を前記パイロット送信ブロックの各々の中の選択された時間・周波数位置に割り振る段階と、
前記一期間において、前記送信元装置から前記送信先装置に、情報と、前記パイロット送信ブロックの少なくとも１つのパイロット信号とを送信する段階とを有する方法。
【請求項２】
無線通信システムの送信元装置におけるチャネル推定方法であって、
前記システムは送信元装置と送信先装置とを含み、
前記送信元装置は情報を前記送信先装置に送信するよう動作可能であり、
前記方法は、
一期間にわたる送信周波数帯域幅を、各々が周波数帯域幅プロファイルを有する複数の同時期のパイロット送信ブロックに割り当てる段階と、
送信用パイロット信号を前記パイロット送信ブロックの各々の中の選択された時間・周波数位置に割り振る段階と、
前記一期間において、前記送信元装置から前記送信先装置に、情報と、前記パイロット送信ブロックの少なくとも１つのパイロット信号とを送信する段階とを有する方法。
【請求項３】
無線通信システムの送信先装置において使用するチャネル推定方法であって、
前記システムは、
前記送信元装置と、
前記送信先装置に情報を送信するよう動作可能な送信元装置と、
一期間にわたる送信周波数帯域幅を、各々が周波数帯域幅プロファイルを有する複数の同時期のパイロット送信ブロックに割り当てる割り当て手段と、
送信用パイロット信号を前記パイロット送信ブロックの各々の中の選択された時間・周波数位置に割り振る割り振り手段とを含み、
前記方法は、
前記一期間において、前記送信元装置から、情報と、前記パイロット送信ブロックの少なくとも１つのパイロット信号とを受信する段階と、
受信する各パイロット信号を使用して送信時及び送信周波数におけるチャネル応答を示す段階と、
少なくとも１つのパイロット送信ブロックのパイロットに対するチャネル応答を処理して前記パイロット送信ブロックにわたるチャネル応答の推定をする方法。
【請求項４】
無線通信システムであって、
送信元装置、及び前記送信元装置が情報を送信する送信先装置と、
一期間にわたる送信周波数帯域幅を、各々が周波数帯域幅プロファイルを有する複数の同時期のパイロット送信ブロックに割り当てる割り当て手段と、
送信用パイロット信号を前記パイロット送信ブロックの各々の中の選択された時間・周波数位置に割り振る割り振り手段と、
前記一期間において、前記送信元装置から前記送信先装置に、情報と、前記パイロット送信ブロックの少なくとも１つのパイロット信号とを送信する送信手段とを有するシステム。
【請求項５】
無線通信システムの送信元装置であって、
前記システムは送信元装置と送信先装置とを含み、
前記送信元装置は情報を前記送信先装置に送信するよう動作可能であり、
一期間にわたる送信周波数帯域幅を、各々が周波数帯域幅プロファイルを有する複数の同時期のパイロット送信ブロックに割り当てる割り当て手段と、
送信用パイロット信号を前記パイロット送信ブロックの各々の中の選択された時間・周波数位置に割り振る割り振り手段と、
前記一期間において、前記送信元装置から前記送信先装置に、情報と、前記パイロット送信ブロックの少なくとも１つのパイロット信号とを送信する送信手段とを有する装置。
【請求項６】
無線通信システムの送信先装置であって、
前記システムは、
前記送信先装置と、
前記送信先装置に情報を送信するよう動作可能な送信元装置と、
一期間にわたる送信周波数帯域幅を、各々が周波数帯域幅プロファイルを有する複数の同時期のパイロット送信ブロックに割り当てる割り当て手段と、
送信用パイロット信号を前記パイロット送信ブロックの各々の中の選択された時間・周波数位置に割り振る割り振り手段とを有し、
前記送信先装置は、
前記一期間において、前記送信元装置から、情報と、前記パイロット送信ブロックの少なくとも１つのパイロット信号とを受信する受信手段と、
受信する各パイロット信号を使用して送信時及び送信周波数におけるチャネル応答を示す表示手段と、
少なくとも１つのパイロット送信ブロックのパイロットに対するチャネル応答を処理して前記パイロット送信ブロックにわたるチャネル応答の推定をする処理手段とを有する装置。
【請求項７】
無線通信システムのコンピューティング装置において実行されると、前記システムにチャネル推定方法を実行させる一式のコンピュータプログラムであって、
前記システムは送信元装置と送信先装置とを含み、
前記送信元装置は情報を前記送信先装置に送信するよう動作可能であり、
前記方法は、
一期間にわたる送信周波数帯域幅を、各々が周波数帯域幅プロファイルを有する複数の同時期のパイロット送信ブロックに割り当てる段階と、
送信用パイロット信号を前記パイロット送信ブロックの各々の中の選択された時間・周波数位置に割り振る段階と、
前記一期間において、前記送信元装置から前記送信先装置に、情報と、前記パイロット送信ブロックの少なくとも１つのパイロット信号とを送信する段階とを有するコンピュータプログラム。
【請求項８】
無線通信システムの送信元装置のコンピューティング装置において実行されると、前記送信元装置にチャネル推定方法を実行させるコンピュータプログラムであって、
前記システムは送信元装置と送信先装置とを含み、
前記送信元装置は情報を前記送信先装置に送信するよう動作可能であり、
前記方法は、
一期間にわたる送信周波数帯域幅を、各々が周波数帯域幅プロファイルを有する複数の同時期のパイロット送信ブロックに割り当てる段階と、
送信用パイロット信号を前記パイロット送信ブロックの各々の中の選択された時間・周波数位置に割り振る段階と、
前記一期間において、前記送信元装置から前記送信先装置に、情報と、前記パイロット送信ブロックの少なくとも１つのパイロット信号とを送信する段階とを有するコンピュータプログラム。
【請求項９】
無線通信システムの送信先装置のコンピューティング装置において実行されると、前記送信先装置にチャネル推定方法を実行させるコンピュータプログラムであって、
前記システムは、
前記送信先装置と、
前記送信先装置に情報を送信するよう動作可能な送信元装置と、
一期間にわたる送信周波数帯域幅を、各々が周波数帯域幅プロファイルを有する複数の同時期のパイロット送信ブロックに割り当てる割り当て手段と、
送信用パイロット信号を前記パイロット送信ブロックの各々の中の選択された時間・周波数位置に割り振る割り振り手段とを有し、
前記方法は、
前記一期間において、前記送信元装置から、情報と、前記パイロット送信ブロックの少なくとも１つのパイロット信号とを受信する段階と、
受信する各パイロット信号を使用して送信時及び送信周波数におけるチャネル応答を示す段階と、
少なくとも１つのパイロット送信ブロックのパイロットに対するチャネル応答を処理して前記パイロット送信ブロックにわたるチャネル応答の推定する段階とを有するコンピュータプログラム。
【発明の詳細な説明】
【技術分野】
【０００１】
本発明は、無線通信システムのチャネル推定（channel  estimation）に関する。チャネル推定は、信号に対する無線チャネル（radio  channel）のインパクトを決定するために全ての無線システムにおいて重要である。トランスミッタとレシーバとの間のチャネルの一般的特性を決定すると（チャネル推定）、通信システムはチャネルのインパクトを補正して無線チャネル効果を補正することができる。
【背景技術】
【０００２】
チャネル応答（すなわち時間領域におけるチャネルインパルス応答）は通常、パイロット信号（以下、パイロットとも呼ぶ）を用いて決定する。このパイロットは所定の特性を有する信号であり、通常は所定の位相及び／または振幅を有している。チャネル推定は時間領域でも周波数領域でも可能である。デジタルシステムの場合、チャネル推定は通常、周波数領域で行われる。かかるシステムの場合、従来のチャネル推定方法では、その通信システムが使用する帯域全体を１つの単位としてチャネル推定を行っている。このため、例えばＯＦＤＭやＯＦＤＭＡ等のシステムでは、パイロット信号を１つのシンボル全体または２つ以上のシンボルをカバーするように配置する。このシンボルベースのチャネル推定では、平均化法とフィルタリング法を使用してパイロット信号から得られた結果をシンボル全体に外挿する。
【０００３】
ＯＦＤＭＡベースの技術が（ＩＥＥＥ８０２．１６標準に基づくＷｉＭＡＸシステムで使用されるアクセス方式である）来る第４世代携帯電話のインフラストラクチャのための先行技術として認められ、例えば、３ＧＰＰ  ＬＴＥ、３ＧＰＰ２  ｅｖｏｌｕｔｉｏｎ、ＩＥＥＥ８０２．２０、ＩＥＥＥ８０２．２２等その他多数の標準においても検討されている。ＷｉＭＡＸ等のＯＤＦＭＡベースシステムにおいては、帯域幅リソースは一般的にはいくつかのサブチャネル（すなわち、論理的サブキャリアのグループ）に分割され、各サブチャネル内のサブキャリアは相異なる物理的サブキャリアに割り当てられる。各サブキャリアは位置、基地局からの距離、干渉、及びパワー制御等とは独立に、別々に処理できる。
【０００４】
他の無線通信システムと同様に、受信信号のコヒーレントな検出には正確なチャネル推定が欠かせない。チャネル推定を送信パイロット信号で支援すると、周波数領域において、ナイキスト（Nyquist）の標本化定理により、要求されるパイロット信号のスペーシング（spacing）は次式（１）の通りである。
【数１】
2008160842.tif 000003
ここで、ＮＬは２つの隣接するパイロットサブキャリア間のサブキャリア数で示した間隔（separation）であり、Δｆはナイキストの基準を満たす最大サブキャリアスペーシング（Ｈｚ）であり、τｍａｘは最大チャネル遅延スプレッド（maximum  channel  delay  spread）（秒）である。要求されるパイロット密度（最小オーバーヘッド）は次式（２）の通りである。
【数２】
2008160842.tif 000004
【０００５】
しかし、ＯＦＤＭＡベースのＷｉＭＡＸの場合、ＯＦＤＭシンボル状のパイロットが部分的に送信されるだけであり、パイロット密度は周波数領域の一部の領域では非常に低い。それゆえ、これらの領域内のチャネル推定では十分な精度が得られない。例えば、図１は、ダウンリンクＰＵＳＣ（Partial  Utilization  SubChannelization）を用いた時の１つのセグメントの送信パイロットを示している。図から明らかなように、パイロット密度は一部の領域で非常に低く、その領域内のチャネル推定では十分な精度が得られない。一方、これらの領域ではデータサブキャリアは送信されず、これらの領域内でのチャネル応答を推定しても計算やエネルギーのリソースが無駄になるだけである。この問題は、専用パイロットを使うＤＬ  ＰＵＳＣの場合にさらに悪くなる。この場合、セグメントの一部であるメジャーグループ（major  group）ではパイロットのみが送信されるからである。さらに、使用されたクラスタの縁にあるデータサブキャリアにおける線形補間によるチャネル推定の性能は非常に悪化する（図２参照）。
【０００６】
アップリンクでは、接続によって無線チャネルが異なり、バーストのプロファイルが異なる（図３参照）。シンボルベースのチャネル推定では、パイロットパワーの相違と相異なる加入者間の無線チャネルは補正しなければならず、余分な計算が必要になる。
【発明の開示】
【発明が解決しようとする課題】
【０００７】
先行技術のチャネル推定方法における欠点を克服、または少なくとも緩和することが望まれている。
【課題を解決するための手段】
【０００８】
本発明を独立請求項に記載した。ここでこれらの請求項を参照する。有利な実施形態は従属請求項に記載した。
【０００９】
好ましい一実施形態により、無線通信システムにおいて使用するチャネル推定方法が提供される。前記システムは送信元装置と送信先装置とを含み、前記送信元装置は情報を前記送信先装置に送信するよう動作可能であり、前記方法は、一期間にわたる送信周波数帯域幅を、各々が周波数帯域幅プロファイルを有する複数の同時期のパイロット送信ブロックに割り当てる段階と、送信用パイロット信号を前記パイロット送信ブロックの各々の中の選択された時間・周波数位置に割り振る段階と、前記一期間において、前記送信元装置から前記送信先装置に、情報と、前記パイロット送信ブロックの少なくとも１つのパイロット信号とを送信する段階とを有する。
【００１０】
この方法により、同時に（並行して）送信されるパイロット送信ブロックであって各ブロックが送信帯域の一部のみをカバーするパイロット送信ブロックを用いたチャネル推定が可能となる。かかるブロックベースのチャネル推定は先行技術であるシンボルベースのチャネル推定に対していくつかの利点を有する。
【００１１】
本実施形態によるブロックベースのチャネル推定は、サブキャリアの小さな２次元ブロック中で行われる。周波数領域におけるチャネル推定ブロックは非常に短いので、この方法を用いることにより計算の複雑性を低減することができる。このことはＦＰＧＡ／ＡＳＩＣへの実装で有利である。
【００１２】
ＦＰＧＡ／ＡＳＩＣにおいてクロックが十分速ければ、１つの小さなブロックベースのチャネル推定／等化モジュールを、例えば時分割多重方式で再使用して全パーミュテーションゾーンのチャネル推定に使用できる。これにより、ハードウェア乗算器が少なくてすむ。
【００１３】
小さなブロックに分割するので、（例えば、帯域のその部分では、送信がないので、パイロットが割り当てられているが送信されていないような）周波数帯域の一部において、パイロット密度が十分でないことによる副作用（図２参照）から生じる質の低下を避けることができる。
【００１４】
パイロット送信がない領域の余分なチャネル推定を回避して、計算及びエネルギー資源を節約する。
【００１５】
相異なる加入者のサービス／接続間のパイロットパワーと無線チャネルの違いを補正する必要が無くなる。パイロットパワーを欠くブロックについて別々に計算できるからである。
【００１６】
好ましくは、前記無線通信システムは前記送信周波数帯域で送信する情報をマッピングする相異なる複数の方式をサポートし、前記方法は、送信周波数帯域幅を割り当てる前に、送信時に動作している方式により、前記パイロット送信ブロックの周波数帯域幅プロファイル及び期間とパイロット信号位置とを決定する段階を含む。
【００１７】
例えば、パーミュテーションゾーンが異なるＯＦＤＭＡまたはＯＦＤＭ等の方式では、各パーミュテーションゾーンに対して相異なる方式を使用できる。これにより、パイロット送信を問題のパーミュテーションゾーンに本来的（inherently）に好適なものにできる。
【００１８】
好ましい一実施形態では、前記無線通信システムはユーザに時間と送信周波数帯域幅とを割り当てる最低割り当てユニットを有し、前記最低割り当てユニットはパイロット送信ブロックの最大周波数帯域幅プロファイルと同じまたはそれより大きい送信周波数帯域幅を有する。
【００１９】
多数の無線システムは、最小割り当て単位を有する（ＯＦＤＭＡの場合、これは「スロット」と呼ばれる）。それゆえ、パイロット送信ブロックの周波数帯域幅が最小割り当て単位の帯域幅以下であり、最小割り当て単位内に入ることが好ましい。より好ましくは、パイロット送信ブロックは周波数的大きさが同じであるか、複数のパイロット送信ブロックを併せた周波数的大きさが最小割り当て単位の大きさと同じである。かかる好ましい実施形態では、最小割り当て単位は複数のパイロット送信ブロックに均等に分割され、単位の帯域幅もそのように分割される。
【００２０】
全帯域幅を複数のパイロット送信ブロックに割り当てることも可能である。しかし、帯域幅全体にわたるパイロット送信よりもパイロット送信ブロックを使用することにより、送信がない帯域幅の領域にパイロット送信ブロックを割り当てる必要はない。それゆえ、好ましくは、送信周波数帯域幅を前記複数のパイロット送信ブロックに割り当てる段階は、前記一期間に情報送信に使用する前記送信周波数帯域幅のみを割り当てる段階を含む。
【００２１】
パイロット送信ブロックは情報送信に使用される送信周波数帯域幅の一部または全部をカバーしてもよい。好ましくは、送信周波数帯域幅を前記複数のパイロット送信ブロックに割り当てる段階は、前記一期間に情報送信に使用するすべての送信周波数帯域幅を割り当てる段階を含む。
【００２２】
必要に応じて、ブロックの時間及び／または周波数方向の大きさは異なってもよい。しかし、同じであれば計算が簡単になる。このように、各ブロックは同じ長さであり、送信周波数帯域幅の同じ部分にわたって一定の送信周波数帯域幅を有する。各ブロックの始まる時間も同じであってもよい。
【００２３】
パイロット送信ブロックの構造は相異なり、（パイロット信号がどこに割り当てられるかに関して）その内部構造は他のパイロットブロックに依存せずに柔軟性がある。あるいは、簡単化のため、各送信ブロック内での各パイロット信号の位置が同じになるように、または少なくとも２つのブロックについて配置が同じになるように、パイロット信号を配置する。好ましくは、各パイロット送信ブロック内の前記パイロット信号は、互いに、かつ送信周波数帯域の開始時及び部分に対して同様に配置される。
【００２４】
ブロック中のパイロット信号の位置は、システムにより、または送信元装置と送信先装置との間のチャネル特性及び／またはモビリティに関する事前の推定により決定される。
【００２５】
各ブロック中のパイロット信号の配置パターンは（例えば、そのブロックの所定周波数に１つのパイロットのみがある）散乱パターンであっても、（例えば、２つ以上のパイロットが所定周波数にある）規則的パターンであってもよい。
【００２６】
例えば、低モビリティ環境においては、各送信ブロックにおいて、ブロックの端でパイロット信号を規則的（非散乱的）に配置して、時間領域でパイロットを実質的に平均化してノイズ効果を平均化することは有利である。あるいは、パイロットを散乱させて、隣接シンボル中のパイロットを組み合わせてパイロット密度を上げてもよい。
【００２７】
（例えば、モビリティが高く、）時間領域及び／または周波数領域においてチャネル特性が変化すると予想される場合、パイロット送信ブロック中でパイロット信号を散乱させて組み合わせてもよい。この場合、チャネルパラメータを推定するために１次元または２次元フィルタリング方法を有利に使用することができる。
【００２８】
有利にも、受信する各パイロット信号はそれが送信された時間と周波数におけるチャネル応答を示す。
【００２９】
単一送信ブロック中のパイロットのチャネル応答を処理して、そのパイロット送信ブロック全体にわたるチャネル応答を推定する。上記の例のように、その時の状態及び／またはパーミュテーションゾーンに応じて、この処理には結合、平均化、フィルタリング、補間のいかなる組み合わせが含まれてもよい。その時の状態はＳＮＲ、ＳＩＮＲ、モビリティ（mobility）、キャリア周波数、チャネル特性（すなわち、周波数領域相関帯域幅または時間領域相関時間であり、チャネル特性が同じであると考えることができる帯域幅または時間の大きさである。それぞれコヒーレント帯域幅及びコヒーレント時間とも呼ばれる）を組み合わせて求めることができる。
【００３０】
また、チャネル推定方法は、送信前であっても、どの処理モードを選択するか決定する段階を含んでもよい。その決定は、送信ブロック構成及び／またはチャネル状態等のパラメータに基づく。大まかに言って、選択されるモードと各パイロット送信ブロック中のパイロット信号の構成は、互いに一致するように、または別に選択することができる。
【００３１】
低モビリティ環境等の一部の状態では、ある時間・周波数の単一パイロット送信ブロック中のパイロット信号のチャネル応答を補間して、そのパイロット送信ブロックのその周波数における時間全体に適用してもよい。
【００３２】
あるいは、単一パイロット送信ブロック中の相異なる時間に同じ周波数で送信される２つ以上のパイロット信号のチャネル応答を平均化して、その平均値を両方の時間に適用することも考えられる。
【００３３】
さらに別の代替案として、その単一パイロット送信ブロック中の時間方向におけるパイロット信号のいずれかの側のチャネル応答を、２つ以上の平均値を補間して推定することができる。
【００３４】
周波数方向については、補間または平均化等の処理方法を使用できる。例えば、単一パイロット送信ブロック中の周波数方向におけるパイロット信号のいずれかの側のチャネル応答を補間により推定できる。
【００３５】
平均値を時間領域における平均化で求めたとき、その単一パイロット送信ブロック中の時間方向におけるパイロット信号のいずれかの側のチャネル応答を２つ以上の平均値の補間により推定してもよい。
【００３６】
かかる場合、補間され平均化されたチャネル応答を周波数方向で補間してもよい。
【００３７】
ブロックベースのチャネル推定方法の１つの利点は、チャネル推定を単一または少数のモジュールで実行でき、そのモジュールをすべての同様のブロックに対して再使用できることである。それゆえ、好ましくは、同時に送信される２つ以上のパイロット送信ブロックを単一の処理モジュールで連続して処理する。
【００３８】
チャネル推定方法は好適ないかなるデジタルモバイル通信システムで実施することもできる。これらのシステムには、ＷｉＭＡＸ、ＷｉＦｉ（ＩＥＥＥ８０２．１１）、ＤＡＢ、ＤＶＢその他の広く使われている多数の通信システムが含まれる。好ましくは、前記システムはＯＦＤＭまたはＯＦＤＭＡシステムであり、ＯＦＤＭまたはＯＦＤＭＡシステムにおいて送信周波数帯域幅に送信される情報をマッピング（mapping）する方式によって異なるパーミュテーション（permutation）の式を使用する。
【００３９】
好ましくは、前記システムはＯＦＤＭまたはＯＦＤＭＡシステムであり、ＯＦＤＭまたはＯＦＤＭＡ時分割多重フレームの各スロットは、単一のパイロット送信ブロックを含み、または複数のパイロット送信ブロックに周波数方向で等分割される。
【００４０】
あるいは、前記システムはＯＦＤＭまたはＯＦＤＭＡシステムであり、ＯＦＤＭＡ時分割多重フレーム中の２つの隣接するスロットは、単一のパイロット送信ブロックを含み、または複数のパイロット送信ブロックに周波数方向で等分割される。
【００４１】
スロットとパイロット送信ブロック間の対応は問題となるパーミュテーションゾーンによって決まる。
【００４２】
多くの場合、パイロット送信ブロックは時間方向で２つ以上の隣接するシンボルにより画成される。こうすることにより、十分なパイロット密度を保ちながら、利用できる周波数帯域にわたりパイロットサブキャリアが広がり、単一のシンボルに配置されるパイロットの数が多すぎることはない。一システムにおいてパイロットオーバーヘッドが大きくなると、信号が時間的に不均等になる。パイロットはブースト（boosted）されることが多いからである。これにより、ＱＡＭその他の振幅変調方式では問題が生じる。
【００４３】
これらすべてのＯＦＤＭ及びＯＦＤＭＡシステムでは、パイロット送信ブロックは、周波数方向及び時間方向の両方で画成されることが好ましい。
【００４４】
送信元装置は、基地局、中継局、またはユーザ端末等の通信システムにおけるいかなるタイプの装置であってもよい。同様に、送信先装置は、通信システムにおけるいかなるタイプの装置であってもよい。
【００４５】
さらの別の一実施形態では、本発明により、無線通信システムの送信元装置におけるチャネル推定方法が提供される。前記システムは送信元装置と送信先装置とを含み、前記送信元装置は情報を前記送信先装置に送信するよう動作可能であり、前記方法は、一期間にわたる送信周波数帯域幅を、各々が周波数帯域幅プロファイルを有する複数の同時期のパイロット送信ブロックに割り当てる段階と、送信用パイロット信号を前記パイロット送信ブロックの各々の中の選択された時間・周波数位置に割り振る段階と、前記一期間において、前記送信元装置から前記送信先装置に、情報と、前記パイロット送信ブロックの少なくとも１つのパイロット信号とを送信する段階とを有する。
【００４６】
送信先装置における対応する方法として、本発明の実施形態は、無線通信システムの送信先装置において使用するチャネル推定方法を提供する。前記システムは、前記送信元装置と、前記送信先装置に情報を送信するよう動作可能な送信元装置と、一期間にわたる送信周波数帯域幅を、各々が周波数帯域幅プロファイルを有する複数の同時期のパイロット送信ブロックに割り当てる割り当て手段と、送信用パイロット信号を前記パイロット送信ブロックの各々の中の選択された時間・周波数位置に割り振る割り振り手段とを含み、前記方法は、前記一期間において、前記送信元装置から、情報と、前記パイロット送信ブロックの少なくとも１つのパイロット信号とを受信する段階と、受信する各パイロット信号を使用して送信時及び送信周波数におけるチャネル応答を示す段階と、少なくとも１つのパイロット送信ブロックのパイロットに対するチャネル応答を処理して前記パイロット送信ブロックにわたるチャネル応答の推定をする。
【００４７】
好ましいシステムの一実施形態によると、無線通信システムが提供される。該システムは、送信元装置、及び前記送信元装置が情報を送信する送信先装置と、一期間にわたる送信周波数帯域幅を、各々が周波数帯域幅プロファイルを有する複数の同時期のパイロット送信ブロックに割り当てる割り当て手段と、送信用パイロット信号を前記パイロット送信ブロックの各々の中の選択された時間・周波数位置に割り振る割り振り手段と、前記一期間において、前記送信元装置から前記送信先装置に、情報と、前記パイロット送信ブロックの少なくとも１つのパイロット信号とを送信する送信手段とを有する。
【００４８】
送信元装置の好ましい一実施形態として、無線通信システムの送信元装置が提供される。前記システムは送信元装置と送信先装置とを含み、前記送信元装置は情報を前記送信先装置に送信するよう動作可能であり、一期間にわたる送信周波数帯域幅を、各々が周波数帯域幅プロファイルを有する複数の同時期のパイロット送信ブロックに割り当てる割り当て手段と、送信用パイロット信号を前記パイロット送信ブロックの各々の中の選択された時間・周波数位置に割り振る割り振り手段と、前記一期間において、前記送信元装置から前記送信先装置に、情報と、前記パイロット送信ブロックの少なくとも１つのパイロット信号とを送信する送信手段とを有する。
【００４９】
送信策装置の好ましい一実施形態として、無線通信システムの送信先装置が提供される。前記システムは、前記送信先装置と、前記送信先装置に情報を送信するよう動作可能な送信元装置と、一期間にわたる送信周波数帯域幅を、各々が周波数帯域幅プロファイルを有する複数の同時期のパイロット送信ブロックに割り当てる割り当て手段と、送信用パイロット信号を前記パイロット送信ブロックの各々の中の選択された時間・周波数位置に割り振る割り振り手段とを有し、前記送信先装置は、前記一期間において、前記送信元装置から、情報と、前記パイロット送信ブロックの少なくとも１つのパイロット信号とを受信する受信手段と、受信する各パイロット信号を使用して送信時及び送信周波数におけるチャネル応答を示す表示手段と、少なくとも１つのパイロット送信ブロックのパイロットに対するチャネル応答を処理して前記パイロット送信ブロックにわたるチャネル応答の推定をする処理手段とを有する。
【００５０】
さらに別のコンピュータプログラムの一実施形態によると、無線通信システムのコンピューティング装置において実行されると、前記システムにチャネル推定方法を実行させる一式のコンピュータプログラムが提供される。前記システムは送信元装置と送信先装置とを含み、前記送信元装置は情報を前記送信先装置に送信するよう動作可能であり、前記方法は、一期間にわたる送信周波数帯域幅を、各々が周波数帯域幅プロファイルを有する複数の同時期のパイロット送信ブロックに割り当てる段階と、送信用パイロット信号を前記パイロット送信ブロックの各々の中の選択された時間・周波数位置に割り振る段階と、前記一期間において、前記送信元装置から前記送信先装置に、情報と、前記パイロット送信ブロックの少なくとも１つのパイロット信号とを送信する段階とを有する。
【００５１】
送信元装置と送信先装置のための個々のコンピュータプログラムも提供される。従って、好ましい一実施形態では、無線通信システムの送信元装置のコンピューティング装置において実行されると、前記送信元装置にチャネル推定方法を実行させるコンピュータプログラムが提供される。前記システムは送信元装置と送信先装置とを含み、前記送信元装置は情報を前記送信先装置に送信するよう動作可能であり、前記方法は、一期間にわたる送信周波数帯域幅を、各々が周波数帯域幅プロファイルを有する複数の同時期のパイロット送信ブロックに割り当てる段階と、送信用パイロット信号を前記パイロット送信ブロックの各々の中の選択された時間・周波数位置に割り振る段階と、前記一期間において、前記送信元装置から前記送信先装置に、情報と、前記パイロット送信ブロックの少なくとも１つのパイロット信号とを送信する段階とを有する。
【００５２】
好ましい一実施形態の最後として、無線通信システムの送信先装置のコンピューティング装置において実行されると、前記送信先装置にチャネル推定方法を実行させるコンピュータプログラムが提供される。前記システムは、前記送信先装置と、前記送信先装置に情報を送信するよう動作可能な送信元装置と、一期間にわたる送信周波数帯域幅を、各々が周波数帯域幅プロファイルを有する複数の同時期のパイロット送信ブロックに割り当てる割り当て手段と、送信用パイロット信号を前記パイロット送信ブロックの各々の中の選択された時間・周波数位置に割り振る割り振り手段とを有し、前記方法は、前記一期間において、前記送信元装置から、情報と、前記パイロット送信ブロックの少なくとも１つのパイロット信号とを受信する段階と、受信する各パイロット信号を使用して送信時及び送信周波数におけるチャネル応答を示す段階と、少なくとも１つのパイロット送信ブロックのパイロットに対するチャネル応答を処理して前記パイロット送信ブロックにわたるチャネル応答の推定する段階とを有する。
【００５３】
方法の好ましい特徴に対応する装置の手段と好適な段階を装置やコンピュータプログラムの実施形態に設けてもよい。
【発明を実施するための最良の形態】
【００５４】
好ましい実施形態によるブロックベースチャネル推定方式の詳細
ＯＦＤＭＡを用いた好ましい実施形態による方式（scheme）には２つの論理的ステップがある。読者はＯＦＤＭＡの実施についてはＩＥＥＥ８０２．１６−２００５を参照されたい。この標準規格はここに参照援用する。第１のステップにおいて、各パーミュテーションゾーンをＤＬ／ＵＬサブフレームにおけるサブチャネル化／ゾーンタイプに関して複数のチャネル推定ブロックに分割する。第２のステップにおいて、各チャネル推定ブロックに相異なるフィルタリングを施して、チャネルパラメータを推定する。
【００５５】
ステップ１：各パーミュテーションゾーンのチャネル推定ブロックへの分割
各パーミュテーションゾーン中の使用されるスロット内に、基本的２次元（時間×周波数）単位で２次元チャネル推定ブロックを画成する。
【００５６】
この実施形態におけるチャネル推定ブロックの大きさを画成する際のルールは次の通りである：
１．チャネル推定ブロックの大きさはパーミュテーションのタイプに応じて決まる。それゆえ、パーミュテーションゾーンによってチャネル推定ブロックの大きさが異なる。
【００５７】
２．１つのパーミュテーションゾーンにあるタイプは１つだけである。ここで「タイプ」とは、サイズ、パイロット数、１つのチャネル推定ブロック中におけるパイロットの位置が同じことを意味する。
【００５８】
３．画成されるチャネル推定ブロックは、ＤＬ  ＦＵＳＣゾーンを除き、１つのスロット内の基本単位である。言い換えると、１つのスロットは複数のチャネル推定ブロックを有する。
【００５９】
４．チャネル推定ブロックの数は、ＤＬ  ＦＵＳＣゾーンを除き、１つのパーミュテーションゾーンにおいて使用されるスロットの数に応じて決まる。例えば、１つのスロットがＮ個のチャネル推定ブロックを有し、１つのパーミュテーションゾーンにおいてＭ個のスロットが使用されるとき、このパーミュテーションゾーンには全部でＭ×Ｎ個のチャネル推定ブロックがフィットする。
【００６０】
５．チャネル推定ブロックは割り当てられていないサブキャリアを含まない。
【００６１】
６．ＤＬ  ＦＵＳＣゾーンにおいて、チャネル推定ブロックは隣接する２つのシンボルで画成される。スロットの長さは１つのシンボル分だけであるが、可変パイロットの位置は奇シンボルと偶シンボルとで異なるからである。
【００６２】
図４ａ乃至図４ｅは、ＯＦＤＭＡシステムの場合のチャネル推定ブロックの画成の正しい例と間違った例とを示している。
【００６３】
ＯＦＤＭＡベースのＷｉＭＡＸを例にとると、以下の画成を相異なるＤＬ／ＵＬパーミュテーションゾーンに使用できる。
【００６４】
ＤＬ  ＰＵＳＣパーミュテーションゾーンでは、１つのチャネル推定ブロックは２つの隣接シンボルが使用する（現セグメント中の）２つのクラスタを有する（図５参照）。
【００６５】
ＵＬ  ＰＵＳＣパーミュテーションゾーンにおいては、チャネル推定ブロックは１つのタイル（used  tile）により画成され、図６に示したように、このタイルは周波数領域における４つの連続したアクティブサブキャリアと時間領域における３つのシンボルよりなる。
【００６６】
ＡＭＣパーミュテーションゾーンにおいては、チャネル推定ブロックは１つのＡＭＣにより画成される。図７は、スロット構成が２×３である、チャネル推定ブロックの構成を示している。
【００６７】
ＤＬ  ＦＵＳＣゾーンにおいては、チャネル推定ブロックは２つの隣接するシンボルにより画成される。
【００６８】
ステップ２：各チャネル推定ブロック内のチャネルパラメータの推定
チャネル推定／等化は画成された各チャネル推定ブロック内で行われる。多数の１次元フィルタリング／平均化法、２つの１次元フィルタリング／平均化法、または２次元フィルタリング／平均化法を使用してチャネルパラメータを推定できる。例えば、平均化、線形補間、ＭＭＳＥ、ＬＭＳ、ＲＬＳ等である。
【００６９】
パイロット割り当てパターンに関して、チャネル推定ブロックを２つのカテゴリーに分類する。すなわち、散乱チャネル推定ブロック（scattered  channel  estimation  block）と非散乱規則的チャネル推定ブロック（non-scattered  regular  channel  estimation  block）である。フィルタリング方法の選択はチャネル推定ブロックのタイプと無線チャネル環境とに基づいて行う。
【００７０】
図８は散乱チャネル推定ブロックの一例を示している。低モビリティ環境では、チャネルコヒーレント時間が少数のシンボル期間よりも非常に長いとき、隣接するシンボル中のパイロットを組み合わせてパイロット密度を高くすることができる。例えば、ＡＭＣにおいて、１次元フィルタリング法を用いる場合、隣接するシンボル中のパイロットを組み合わせて、図９に示したようにパイロット密度を高くすることができる。高モビリティ環境では、２次元フィルタリング法または２つの１次元フィルタリング法を用いてチャネルパラメータを推定することができる。
【００７１】
モビリティとＳＮＲが低い環境では、非散乱チャネル推定ブロックの場合、チャネルはシンボルとの相関が高いので、最初に時間領域での平均化を行い、その後に周波数補間を行って、ノイズ効果を平均化して性能を高める方がよい。この方法により、２つの１次元補間または２次元補間を行う方法と比較して、計算資源を減らすことができる。この方法は図１１のように示すことができる。
【００７２】
高モビリティ環境では、特に６４ＱＡＭ等の高次変調方式（high  order  modulation  scheme）を使う時、２次元フィルタリングまたは２つの１次元フィルタリングを行ってチャネルパラメータを求める方がよい。これは、速度が高くなるに従ってパイロットサブキャリア間のチャネル相関が小さくなるので、補間の方が平均化よりも性能が良くなるからである。これは特に高ＳＮＲ環境であてはまる。
【００７３】
例えば、ＷｉＭＡＸ  ＵＬ  ＰＵＳＣにおいて、時間次元における平均化をおこなってから周波数領域のフィルタリング／平均化を適用することにより、モビリティとＳＮＲが低い環境において、ノイズ効果を平均化し、計算に必要なコストを低減することができる。あるいは、２つの１次元フィルタリング／平均化または２次元フィルタリング／平均化を１つのチャネル推定ブロックに直接適用することができる。
【００７４】
このように、パイロットを散乱または非散乱とすることができるいろいろなシナリオにおいて最適な性能を確保するために、モビリティ作動レシーバ（mobility  enabled  receiver）はチャネル推定モードを切り換えて、最適性能を確保することができる。低モビリティシナリオでは、非散乱パイロットの場合には時間領域での平均化を選択し、散乱パイロットの場合には組合せを選択することが好ましい。得られる利益として、別の方法と比較して複雑でなくなり、平均化を使用した場合にはノイズの平均化により性能が上がる。一方、高モビリティ環境では、２つの１次元フィルタリングまたは１つの２次元フィルタリング方法を選択することが好ましい。隣接するパイロットサブキャリアは、時間領域と周波数領域の両方である程度の非相関フェーディング（uncorrelated  fading）を生じるからである。システムは、おそらく好適なレシーバ（送信先装置）において、好ましくは、選択するモードを決定する決定手段であって、その決定を現在の状態の観測とその観測された状態における２つの代替的な方法の性能に関する情報とに基づいて行う決定手段を有する。
【００７５】
送信用にサブチャネルが割り当てられていない周波数領域内にはチャネル推定ブロックは割り当てられず、それゆえそれらの領域ではチャネル推定は行われず、計算資源及びエネルギーを節約できる。
【００７６】
１つのループにおいて、１つのチャネル推定計算ユニットを時分割多重方式で再使用して、パーミュテーションゾーン全体のチャネル推定を行うことができるので、チップ設計におけるハードウェア資源を節約でき、どんな物理レイヤ資源を使用して推定器を実施してもよい。これは、ＦＦＴのサイズが大きい場合にとくに有利である。
【００７７】
まとめ
まとめると、本発明の好ましい実施形態により、ＯＦＤＭＡベースのＭＩＭＯ通信システムまたはＳＩＳＯ通信システムにおいて、ブロックベースのチャネル推定方法を提供する。該方法は、各ＯＦＤＭＡサブキャリアパーミュテーションゾーンを前記チャネル推定ブロックに分割する段階と、画成された各ブロックにフィルタリング／平均化法を適用してチャネルパラメータを推定（estimate）する段階とを含む。
【００７８】
各ＯＦＤＭＡサブキャリアパーミュテーションゾーンを前記チャネル推定ブロックに分割する段階は、パーミュテーションゾーンのタイプを分類して前記チャネル推定ブロックの大きさ（dimension）を決定する段階を含んでもよい。
【００７９】
各ＯＦＤＭＡサブキャリアパーミュテーションゾーンを前記チャネル推定ブロックに分割する段階は、前記チャネル推定ブロックの大きさを決定する規則（regulations）を実施する段階を含んでもよい。好ましくは、各ＷｉＭＡＸパーミュテーションゾーンを前記チャネル推定ブロックに分割する段階は、前記規則を用いて、ＴＵＳＣ１、ＴＵＳＣ２、ＰＵＳＣ−ＡＳＣＡ及びその他のゾーンタイプ等である他のタイプのサブキャリアパーミュテーションゾーンにおける前記チャネル推定ブロックの大きさを規定する段階を含む。
【００８０】
好ましくは、各ＯＦＤＭＡサブキャリアパーミュテーションゾーンを前記チャネル推定ブロックに分割することは、データ転送用に割り当てられていないサブチャネル内にはチャネル推定ブロックが配置されないことを意味する。
【００８１】
有利にも、各ＷｉＭＡＸパーミュテーションゾーンを前記チャネル推定ブロックに分割する段階は、前記チャネル推定ブロックのＤＬ／ＵＬ  ＰＵＳＣ、ＡＭＣゾーンに画成する段階を含む。
【００８２】
画成された各ブロックにフィルタリング／平均化法を適用してチャネルパラメータを推定（estimate）する段階は、有利にも、１つの小さなブロックチャネル推定を時分割多重方式で再使用して、サブキャリアパーミュテーションゾーン全体のチャネル応答を推定して等化する段階を含む。
【００８３】
画成された各ブロックにフィルタリング／平均化法を適用してチャネルパラメータを推定（estimate）することは、データ転送に割り当てられていないサブチャネル内ではブロックベースのチャネル推定が行われず、計算資源とエネルギーとが節約されることを意味する。
【００８４】
時間領域において平均化、補間、または結合のどれを使用するか決定は、サブキャリアのパーミュテーションタイプ（すなわち、散乱パイロットまたは非散乱パイロットを含む）と送受信局の速度の両方に基づいて決まる。
【００８５】
モビリティとＳＮＲが低い環境では、好適な方法では、最初に時間領域の平均化が行われ、次に非散乱チャネル推定ブロックの補間が行われ、ノイズ効果が平均化される。
【００８６】
高モビリティ環境では、２次元または２つの１次元フィルタリングを使用して、非散乱チャネル推定ブロックのチャネルパラメータを求め、チャネルコヒーレント時間が短いことによる効果を考慮する。
【００８７】
本発明の実施形態はハードウェアで実施してもよく、（１つ以上の）プロセッサで実行されるソフトウェアモジュールとして実施してもよく、これらの組合せで実施してもよい。すなわち、実際にはマイクロプロセッサまたはデジタル信号プロセッサ（ＤＳＰ）を使用して本発明を化体するトランスミッタの機能の一部または全部を実施することができることが、当業者には分かるであろう。本発明は、ここに説明した方法の一部または全部を実行する（１つ以上の）装置プログラム（例えば、コンピュータプログラム及びコンピュータプログラム製品）として実施してもよい。本発明を化体したかかるプログラムは、コンピュータ読み取り可能媒体に格納でき、または（１つ以上の）信号の形であってもよい。かかる信号はインターネットのウェブサイトからダウンロード可能なデータ信号であってもよく、キャリア信号で提供されてもその他のいかなる形式で提供されてもよい。
【００８８】
本発明の態様の一部を整理すると以下の通りである。
（付記１）  無線通信システムにおいて使用するチャネル推定方法であって、
前記システムは送信元装置と送信先装置とを含み、
前記送信元装置は情報を前記送信先装置に送信するよう動作可能であり、
前記方法は、
一期間にわたる送信周波数帯域幅を、各々が周波数帯域幅プロファイルを有する複数の同時期のパイロット送信ブロックに割り当てる段階と、
送信用パイロット信号を前記パイロット送信ブロックの各々の中の選択された時間・周波数位置に割り振る段階と、
前記一期間において、前記送信元装置から前記送信先装置に、情報と、前記パイロット送信ブロックの少なくとも１つのパイロット信号とを送信する段階とを有する方法。
（付記２）  前記無線通信システムは前記送信周波数帯域で送信する情報をマッピングする相異なる複数の方式をサポートし、
前記方法は、
送信周波数帯域幅を割り当てる前に、送信時に動作している方式により、前記パイロット送信ブロックの周波数帯域幅プロファイル及び期間とパイロット信号位置とを決定する段階を含む、付記１に記載のチャネル推定方法。
（付記３）  前記無線通信システムはユーザに時間と送信周波数帯域幅とを割り当てる最低割り当てユニットを有し、
前記最低割り当てユニットはパイロット送信ブロックの最大周波数帯域幅プロファイルと同じまたはそれより大きい送信周波数帯域幅を有する、付記１または２に記載のチャネル推定方法。
（付記４）  送信周波数帯域幅を前記複数のパイロット送信ブロックに割り当てる段階は、前記一期間に情報送信に使用する前記送信周波数帯域幅のみを割り当てる段階を含む、付記１ないし３いずれか一項に記載のチャネル推定方法。
（付記５）  送信周波数帯域幅を前記複数のパイロット送信ブロックに割り当てる段階は、前記一期間に情報送信に使用するすべての送信周波数帯域幅を割り当てる段階を含む、付記１ないし４いずれか一項に記載のチャネル推定方法。
（付記６）  各ブロックは同じ長さであり、送信周波数帯域幅の同じ部分にわたって一定の送信周波数帯域幅を有する、付記１ないし５いずれか一項に記載のチャネル推定方法。
（付記７）  各パイロット送信ブロック内の前記パイロット信号は、互いに、かつ送信周波数帯域の開始時及び部分に対して同様に配置される、付記６に記載のチャネル推定方法。
（付記８）  各パイロット送信ブロック中のパイロット信号は前記ブロック中に規則的に配置されている、付記７に記載のチャネル推定方法。
（付記９）  各パイロット送信ブロック中のパイロット信号は前記ブロックにわたって散乱している、付記７に記載のチャネル推定方法。
（付記１０）  受信する各パイロット信号は送信時及び送信周波数におけるチャネル応答を示す、付記１ないし９いずれか一項に記載のチャネル推定方法。
（付記１１）  単一のパイロット送信ブロックのパイロットに対するチャネル応答を処理して全パイロット送信ブロックにわたるチャネル応答の推定をする、付記１０に記載のチャネル推定方法。
（付記１２）  平均化、フィルタリング、及び／または補間を含む相異なるモードで処理が行われ、使用されるモードはＳＮＲ、ＳＮＩＲ、モビリティ及び／または無線チャネル特性等のその時の状態、及び／または前記送信周波数帯域幅で送信する情報のマッピング方式により決まる、付記１１に記載のチャネル推定方法。
（付記１３）  所定時間・周波数位置の単一パイロット送信ブロック中のパイロット信号のチャネル応答を補間して、前記パイロット送信ブロックの全期間にわたりその周波数において適用する、付記１１または１２に記載のチャネル推定方法。
（付記１４）  単一パイロット送信ブロック中の周波数方向においてパイロット信号のいずれかの側に対するチャネル応答を補間により推定する、付記１１ないし１３いずれか一項に記載のチャネル推定方法。
（付記１５）  単一パイロット送信ブロック中の相異なる時間に同じ周波数で送信された２つ以上のパイロット信号のチャネル応答を平均化し、その平均値がその時間に当てはまるとする、付記１１または１２に記載のチャネル推定方法。
（付記１６）  前記単一パイロット送信ブロック中の時間方向においてパイロット信号のいずれかの側に対するチャネル応答を２つ以上の平均値の補間により推定する、付記１５に記載のチャネル推定方法。
（付記１７）  平均化され補間されたチャネル応答を周波数方向で補間する、付記１６に記載のチャネル推定方法。
（付記１８）  ２つ以上の同時パイロット送信ブロックを単一の処理モジュールで連続して処理する、付記１１ないし１７いずれか一項に記載のチャネル推定方法。
（付記１９）  前記システムはＯＦＤＭまたはＯＦＤＭＡシステムであり、前記方式は相異なるパーミュテーションの式を使用する、付記２またはそれに従属するいずれか一項に記載のチャネル推定方法。
（付記２０）  前記システムはＯＦＤＭまたはＯＦＤＭＡシステムであり、
ＯＦＤＭまたはＯＦＤＭＡ時分割多重フレームの各スロットは単一のパイロット送信ブロックを含み、または周波数方向で複数のパイロット送信ブロックに等分割される、付記１ないし１９いずれか一項に記載のチャネル推定方法。
（付記２１）  前記システムはＯＦＤＭまたはＯＦＤＭＡシステムであり、
ＯＦＤＭＡ時分割多重フレーム中の２つの隣接するスロットは単一のパイロット送信ブロックを含み、または周波数方向で複数のパイロット送信ブロックに等分割される、付記１ないし１９いずれか一項に記載のチャネル推定方法。
（付記２２）  前記システムはＯＦＤＭまたはＯＦＤＭＡシステムであり、
パイロット送信ブロックは時間方向において隣接する２つ以上のシンボルにより画成される、付記１ないし１９いずれか一項に記載のチャネル推定方法。
（付記２３）  前記システムはＯＦＤＭまたはＯＦＤＭＡシステムであり、
パイロット送信ブロックは時間方向及び時間方向の両方において画成される、付記１ないし２２いずれか一項に記載のチャネル推定方法。
（付記２４）  前記送信元装置は基地局または中継局またはユーザ端末である、付記１ないし１９いずれか一項に記載のチャネル推定方法。
（付記２５）  前記送信先装置は基地局または中継局またはユーザ端末である、付記１ないし２４いずれか一項に記載のチャネル推定方法。
（付記２６）  無線通信システムの送信元装置におけるチャネル推定方法であって、
前記システムは送信元装置と送信先装置とを含み、
前記送信元装置は情報を前記送信先装置に送信するよう動作可能であり、
前記方法は、
一期間にわたる送信周波数帯域幅を、各々が周波数帯域幅プロファイルを有する複数の同時期のパイロット送信ブロックに割り当てる段階と、
送信用パイロット信号を前記パイロット送信ブロックの各々の中の選択された時間・周波数位置に割り振る段階と、
前記一期間において、前記送信元装置から前記送信先装置に、情報と、前記パイロット送信ブロックの少なくとも１つのパイロット信号とを送信する段階とを有する方法。
（付記２７）  無線通信システムの送信先装置において使用するチャネル推定方法であって、
前記システムは、
前記送信元装置と、
前記送信先装置に情報を送信するよう動作可能な送信元装置と、
一期間にわたる送信周波数帯域幅を、各々が周波数帯域幅プロファイルを有する複数の同時期のパイロット送信ブロックに割り当てる割り当て手段と、
送信用パイロット信号を前記パイロット送信ブロックの各々の中の選択された時間・周波数位置に割り振る割り振り手段とを含み、
前記方法は、
前記一期間において、前記送信元装置から、情報と、前記パイロット送信ブロックの少なくとも１つのパイロット信号とを受信する段階と、
受信する各パイロット信号を使用して送信時及び送信周波数におけるチャネル応答を示す段階と、
少なくとも１つのパイロット送信ブロックのパイロットに対するチャネル応答を処理して前記パイロット送信ブロックにわたるチャネル応答の推定をする方法。
（付記２８）  無線通信システムであって、
送信元装置、及び前記送信元装置が情報を送信する送信先装置と、
一期間にわたる送信周波数帯域幅を、各々が周波数帯域幅プロファイルを有する複数の同時期のパイロット送信ブロックに割り当てる割り当て手段と、
送信用パイロット信号を前記パイロット送信ブロックの各々の中の選択された時間・周波数位置に割り振る割り振り手段と、
前記一期間において、前記送信元装置から前記送信先装置に、情報と、前記パイロット送信ブロックの少なくとも１つのパイロット信号とを送信する送信手段とを有するシステム。
（付記２９）  無線通信システムの送信元装置であって、
前記システムは送信元装置と送信先装置とを含み、
前記送信元装置は情報を前記送信先装置に送信するよう動作可能であり、
一期間にわたる送信周波数帯域幅を、各々が周波数帯域幅プロファイルを有する複数の同時期のパイロット送信ブロックに割り当てる割り当て手段と、
送信用パイロット信号を前記パイロット送信ブロックの各々の中の選択された時間・周波数位置に割り振る割り振り手段と、
前記一期間において、前記送信元装置から前記送信先装置に、情報と、前記パイロット送信ブロックの少なくとも１つのパイロット信号とを送信する送信手段とを有する装置。
（付記３０）  無線通信システムの送信先装置であって、
前記システムは、
前記送信先装置と、
前記送信先装置に情報を送信するよう動作可能な送信元装置と、
一期間にわたる送信周波数帯域幅を、各々が周波数帯域幅プロファイルを有する複数の同時期のパイロット送信ブロックに割り当てる割り当て手段と、
送信用パイロット信号を前記パイロット送信ブロックの各々の中の選択された時間・周波数位置に割り振る割り振り手段とを有し、
前記送信先装置は、
前記一期間において、前記送信元装置から、情報と、前記パイロット送信ブロックの少なくとも１つのパイロット信号とを受信する受信手段と、
受信する各パイロット信号を使用して送信時及び送信周波数におけるチャネル応答を示す表示手段と、
少なくとも１つのパイロット送信ブロックのパイロットに対するチャネル応答を処理して前記パイロット送信ブロックにわたるチャネル応答の推定をする処理手段とを有する装置。
（付記３１）  無線通信システムのコンピューティング装置において実行されると、前記システムにチャネル推定方法を実行させる一式のコンピュータプログラムであって、
前記システムは送信元装置と送信先装置とを含み、
前記送信元装置は情報を前記送信先装置に送信するよう動作可能であり、
前記方法は、
一期間にわたる送信周波数帯域幅を、各々が周波数帯域幅プロファイルを有する複数の同時期のパイロット送信ブロックに割り当てる段階と、
送信用パイロット信号を前記パイロット送信ブロックの各々の中の選択された時間・周波数位置に割り振る段階と、
前記一期間において、前記送信元装置から前記送信先装置に、情報と、前記パイロット送信ブロックの少なくとも１つのパイロット信号とを送信する段階とを有するコンピュータプログラム。
（付記３２）  無線通信システムの送信元装置のコンピューティング装置において実行されると、前記送信元装置にチャネル推定方法を実行させるコンピュータプログラムであって、
前記システムは送信元装置と送信先装置とを含み、
前記送信元装置は情報を前記送信先装置に送信するよう動作可能であり、
前記方法は、
一期間にわたる送信周波数帯域幅を、各々が周波数帯域幅プロファイルを有する複数の同時期のパイロット送信ブロックに割り当てる段階と、
送信用パイロット信号を前記パイロット送信ブロックの各々の中の選択された時間・周波数位置に割り振る段階と、
前記一期間において、前記送信元装置から前記送信先装置に、情報と、前記パイロット送信ブロックの少なくとも１つのパイロット信号とを送信する段階とを有するコンピュータプログラム。
（付記３３）  無線通信システムの送信先装置のコンピューティング装置において実行されると、前記送信先装置にチャネル推定方法を実行させるコンピュータプログラムであって、
前記システムは、
前記送信先装置と、
前記送信先装置に情報を送信するよう動作可能な送信元装置と、
一期間にわたる送信周波数帯域幅を、各々が周波数帯域幅プロファイルを有する複数の同時期のパイロット送信ブロックに割り当てる割り当て手段と、
送信用パイロット信号を前記パイロット送信ブロックの各々の中の選択された時間・周波数位置に割り振る割り振り手段とを有し、
前記方法は、
前記一期間において、前記送信元装置から、情報と、前記パイロット送信ブロックの少なくとも１つのパイロット信号とを受信する段階と、
受信する各パイロット信号を使用して送信時及び送信周波数におけるチャネル応答を示す段階と、
少なくとも１つのパイロット送信ブロックのパイロットに対するチャネル応答を処理して前記パイロット送信ブロックにわたるチャネル応答の推定する段階とを有するコンピュータプログラム。
【図面の簡単な説明】
【００８９】
【図１】セグメントにおいて１つのサブチャネルが割り当てられている時、ダウンリンクＰＵＳＣで送信されたパイロットを示す先行技術の図である。
【図２】クラスタＡとＢの間のパイロット密度が不十分であるため、クラスタＡの右端のサブキャリアが線形補間を使用する場合にチャネル推定が不正確であるという問題が生じる例を示す先行技術の図である。
【図３】ＷｉＭＡＸ  ＴＤＤアップリンクサブフレームの構造の一例を示す先行技術の図である。１つのアップリンクシンボル全体上において、バーストプロファイルや無線チャネルはバーストによる。さらに、ＦＦＴのサイズが大きい場合、シンボルベースのチャネル推定には大きなメモリが必要であり、レシーバを実施する際のチップセットや物理レイヤのコストが高くなる。
【図４ａ】正しいチャネル推定ブロックの例を示す図である。１つのスロットは４つのチャネル推定ブロックに分割されている。
【図４ｂ】間違ったチャネル推定ブロックの例を示す図である。１つのチャネル推定ブロックが、割り当てられていないサブキャリアを有している。
【図４ｃ】間違ったチャネル推定ブロックの例を示す図である。１つのチャネル推定ブロックが複数のスロットにまたがっている。
【図４ｄ】間違ったチャネル推定ブロックの例を示す図である。
【図４ｅ】間違ったチャネル推定ブロックの例を示す図である。１つのパーミュテーションゾーンにおいて、各チャネル推定ブロックは同じディメンションを有する。
【図５】ＤＬ  ＰＵＳＣにおける好ましいチャネル推定ブロックを示す図である。
【図６】ＵＬ  ＰＵＳＣにおける好ましいチャネル推定ブロックの構造を示す図である。
【図７】好ましいチャネル推定ブロック（ＡＭＣ２×３）の構造を示す図である。
【図８】散乱チャネル推定ブロックの一例を示す図である。
【図９】隣接するシンボルのパイロットをいかに結合して、パイロット密度を高くするか示す図である。
【図１０】非散乱チャネル推定ブロックの一例を示す図である。
【図１１】モビリティとＳＮＲが低い環境において、非散乱チャネル推定ブロックに対して、ノイズ効果を平均化するために時間領域での平均化を最初に行う方がよいことを示す図である。
【図１】
2008160842.tif 000005
【図２】
2008160842.tif 000006
【図３】
2008160842.tif 000007
【図４ａ】
2008160842.tif 000008
【図４ｂ】
2008160842.tif 000009
【図４ｃ】
2008160842.tif 000010
【図４ｄ】
2008160842.tif 000011
【図４ｅ】
2008160842.tif 000012
【図５】
2008160842.tif 000013
【図６】
2008160842.tif 000014
【図７】
2008160842.tif 000015
【図８】
2008160842.tif 000016
【図９】
2008160842.tif 000017
【図１０】
2008160842.tif 000018
【図１１】
2008160842.tif 000019